(57)【要約】【課題】使用中に親と子供とが相互にコミュニケーションを図ることができる座席付育児器具を提供する。【解決手段】乳母車１１は、座席形成部材と、座席形成部材上に配置される操作部材１５と、座席形成部材上の操作部材１５から離れた位置に配置されて、操作部材１５の操作に伴って動作する動作部材１６と、操作部材１５および動作部材１６を動作可能に連結する連結手段１８とを備える。そして、操作部材１５および動作部材１６のうちの一方は、座席上の子供の手の届く領域に配置され、他方は座席上の子供の手の届く領域を越えた位置に配置されている。【選択図】図１
2007331709.tif 000002
【特許請求の範囲】
【請求項１】
座席形成部材と、
前記座席形成部材上に配置される操作部材と、
前記座席形成部材上の前記操作部材から離れた位置に配置されて、前記操作部材の操作に伴って動作する動作部材と、
前記操作部材および前記動作部材を動作可能に連結する連結手段とを備え、
前記操作部材および前記動作部材のうちの一方は、座席上の子供の手の届く領域に配置され、他方は座席上の子供の手の届く領域を越えた位置に配置されている、座席付育児器具。
【請求項２】
前記動作部材は、座席上の子供の手の届く範囲に配置されており、
前記操作部材は、座席上の子供の手の届く領域を越えた位置に配置されている、請求項１に記載の座席付育児器具。
【請求項３】
前記座席付育児器具は、乳母車である、請求項１または２に記載の座席付育児器具。
【請求項４】
前記乳母車は、座席の前方に位置する前ガード部材と、前記乳母車を移動操作する押棒とを備え、
前記操作部材は、前記押棒に設けられ、
前記動作部材は、前記前ガード部材に設けられている、請求項３に記載の座席付育児器具。
【請求項５】
前記前ガード部材には、第２操作部材が設けられ、
前記押棒には、前記第２操作部材の操作に伴って動作する第２動作部材が設けられており、
前記第２操作部材と前記第２動作部材とは、第２連結手段によって動作可能に連結されている、請求項４に記載の座席付育児器具。
【請求項６】
前記操作部材は、空気を送り出すポンプであり、
前記動作部材は、前記ポンプから供給される空気によって動作するものであり、
前記連結手段は、空気通路である、請求項１〜５のいずれかに記載の座席付育児器具。
【発明の詳細な説明】
【技術分野】
【０００１】
この発明は、座席付育児器具、特に使用中に親と子供がコミュニケーションを図ることができる座席付育児器具に関するものである。
【背景技術】
【０００２】
従来の座席付育児器具は、例えば、特開２００５−２５４８３７号公報（特許文献１）に記載されている。同公報に記載されている座席付育児器具は、子供が着座する座席と、座席の上方を覆う幌とを備える乳母車であって、幌から座席の前方位置に様々な形状の吊下げおもちゃが吊下げられている。そして、上記構成の乳母車によれば、着座した子供が様々な形状の吊下げおもちゃを見て楽しむことができると記載されている。
【特許文献１】特開２００５−２５４８３７号公報
【発明の開示】
【発明が解決しようとする課題】
【０００３】
特開２００５−２５４８３７号公報（特許文献１）に記載されている吊下げおもちゃは、見て楽しむだけのものに過ぎないので、乳母車に座っている子供と乳母車を押す親とが、この吊下げおもちゃを通してコミュニケーションを図ることは難しい。一方、親としては、子供の状態を確認するために親子の間でコミュニケーションを図ることができるのが望ましい。
【０００４】
そこで、この発明の目的は、使用中に親と子供とが相互にコミュニケーションを図ることができる座席付育児器具を提供することである。
【課題を解決するための手段】
【０００５】
この発明に係る座席付育児器具は、座席形成部材と、座席形成部材上に配置される操作部材と、座席形成部材上の操作部材から離れた位置に配置されて、操作部材の操作に伴って動作する動作部材と、操作部材および動作部材を動作可能に連結する連結手段とを備える。そして、操作部材および動作部材のうちの一方は、座席上の子供の手の届く領域に配置され、他方は座席上の子供の手の届く領域を越えた位置に配置されている。
【０００６】
一実施形態として、動作部材は座席上の子供の手の届く範囲に配置されており、操作部材は、座席上の子供の手の届く領域を越えた位置に配置されている。
【０００７】
上記構成の座席付育児器具は、座席付育児器具の使用中に親が操作部材を操作して子供の前方領域に配置された動作部材を動作させる。子供は動作部材の動作に興味を持って触ったり、喜んで声を発したりするので、親と子供との間でコミュニケーションを図ることができる。
【０００８】
一実施形態として、座席付育児器具は乳母車である。
【０００９】
好ましくは、乳母車は、座席の前方に位置する前ガード部材と、乳母車を移動操作する押棒とを備える。そして、第１操作部材は押棒に設けられ、第１動作部材は前ガード部材に設けられている。
【００１０】
さらに好ましくは、前ガード部材には第２操作部材が設けられ、押棒には第２操作部材の操作に伴って動作する第２動作部材が設けられており、第２操作部材と第２動作部材とは、第２連結手段によって動作可能に連結されている。
【００１１】
例えば、乳母車を押す親には、座席に座っている子供の表情等を確認することができない場合がある。そこで、この発明を乳母車に適用することにより、親と子供との間でコミュニケーションを図ることができると共に、座席上の子供の状態を確認するためにも利用することができる。
【００１２】
さらには、座席上の子供の手の届く位置にも操作部材を設けて、押棒に設けられた動作部材を操作可能とすることにより、親から子、子から親の双方向のコミュニケーションが可能となる。
【００１３】
一実施形態として、操作部材は空気を送り出すポンプであり、動作部材はポンプから供給される空気によって動作するものであり、連結手段は空気通路である。
【発明を実施するための最良の形態】
【００１４】
図１〜図４を参照して、この発明の一実施形態に係る座席付育児器具を説明する。なお、図１は座席付育児器具としての乳母車１１を示す図、図２は操作部材の構成を示す図、図３および図４は動作部材の構成を示す図である。
【００１５】
まず、図１を参照して、乳母車１１は、座席形成部材と幌とを備える。座席形成部材は、子供が着座する座席１２と、座席１２の前方領域に配置される前ガード部材１３と、乳母車１１を移動操作する押棒１４と、操作部材１５と、動作部材１６（２つの動作部材１６ａ，１６ｂを総称して「動作部材１６」とする）と、連結手段１８（２つの連結手段１８ａ，１８ｂを総称して「連結手段１８」とする）とを有する。
【００１６】
座席１２には、座部、背もたれ部、およびシートベルトが設けられており、クッション性に富む素材で形成されている。前ガード部材１３は、座席１２の前方領域に位置し、座席１２に座った子供の脱落を防止する。押棒１４は、座席１２の後方部から上方に立ち上がる一対の縦棒１４ａ，１４ｂと、一対の縦棒１４ａ，１４ｂの上端を相互に連結する上端連結部１４ｃとを有し、全体として逆Ｕ字形状となっている。
【００１７】
また、操作部材１５および動作部材１６は、座席形成部材上の互いに離れた位置に配置され、一方が座席１２に座った子供の手の届く領域、他方が座席１２に座った子供の手の届く領域を越えた位置に配置される。この実施形態において、操作部材１５は、子供の手の届かない押棒１４に配置され、乳母車１１を押す親が操作する。一方、動作部材１６は子供の手の届く前ガード部材１３に配置され、操作部材１５の操作に伴って所定の動作をする。さらに、連結手段１８は、操作部材１５および動作部材１６を動作可能に連結するものであって、縦棒１４ｂに沿って配置されている。
【００１８】
次に、図２を参照して、操作部材１５は、矩形形状のシート部材であって、任意の位置に複数の操作部１５ａ，１５ｂが配置されている。また、この操作部材１５は端部に設けられた面ファスナ１９ａ，１９ｂによって上端連結部１４ｃに巻きつけて固定される。さらに、操作部材１５の表面には、各操作部１５ａ，１５ｂの位置を示すためのマークが描かれている。なお、この実施形態では、操作部１５ａ，１５ｂは空気を送り出すポンプであって、各操作部１５ａ，１５ｂには、連結手段としての空気通路１８ａ，１８ｂの一方側端部が連結されている。
【００１９】
次に、図３および図４を参照して、２つの動作部材１６ａ，１６ｂは、座席１２に座った子供の手の届く領域として前ガード部材１３の任意の位置に配置されている。また、動作部材１６ａには、操作部１５ａから延びる空気通路１８ａの他方側端部が連結されており、動作部材１６ｂには、操作部１５ｂから延びる空気通路１８ｂの他方側端部が連結されている。
【００２０】
この実施形態では、動作部材１６ａは座席１２に対面する面に絵が描かれた空気袋であって前ガード部材１３の上に固定されている。そして、操作部１５ａを操作していない状態では萎んでおり（図３の状態）、操作部１５ａを圧縮して空気を供給すると膨張して立ち上がる（図４の状態）。ここで、操作部１５ａの内部容積は、動作部材１６ａの内部容積より大きくしておくことが望ましい。すなわち、操作部１５ａから空気を完全に排出しなくとも動作部材１６ａが膨らむようにしておくことで、操作性が向上する。一方、動作部材１６ｂは笛であって前ガード部材１３を包む布製カバーの下に収容されている。そして、操作部１５ｂを圧縮して空気を供給することにより音を発する。
【００２１】
上記構成の乳母車１１は、子供が座席１２に座り、親が押棒１４を持って移動操作するので、乳母車１１を使用している間は、親は直接子供の相手をすることができない。そこで、親が押棒１４に配置された操作部１５ａ，１５ｂを操作して動作部材１６を動作させると、子供は動作部材１６の動作に興味を持って触ったり、喜んで声を発したりする。これにより、親と子供との間でコミュニケーションを図ることができると共に、親が座席１２に座っている子供の状態を確認したい場合にも利用することができる。
【００２２】
なお、この乳母車１１の前ガード部材１３には、座席１２に座る子供が遊ぶことのできる玩具１７が設けられている。この実施形態における玩具１７は、押すと音を発する玩具である。このような玩具１７を座席１２に座った子供の手の届く領域に設けることによって、子供が玩具１７を押して音を発した時に親が動作部材１６を動かして応えれば、親と子供との間に双方向のコミュニケーションが可能となる。反対に、親が動作部材１６ａを動かした時に、子供が玩具１７で応えてもよい。
【００２３】
また、上記の実施形態においては、操作部材１５を子供の手の届かない押棒１４に設け、動作部材１６を子供の手の届く前ガード部材１３に設けた例を示したが、これに限ることなく、他の構成を採用することもできる。例えば、操作部材１５を前ガード部材１３に設け、動作部材１６を押棒１４に設けてもよいし、前ガード部材１３および押棒１４のそれぞれに、操作部材１５と動作部材１６とを両方設けてもよい。
【００２４】
好ましくは、第１操作部材を押棒１４に、第１操作部材の操作に伴って動作する第１動作部材を前ガード部材１３に設けると共に、第２操作部材を前ガード部材１３に、第２操作部材の操作に伴って動作する第２動作部材を押棒１４に設けることによって、親と子供との間で双方向のコミュニケーションが可能となる。
【００２５】
また、上記の実施形態においては、子供の手の届く領域の一例として前ガード部材１３を、子供の手の届く領域を越えた位置の一例として押棒１４を説明したが、これに限ることなく、それぞれ他の場所であってもこの発明の効果を得ることができる。
【００２６】
また、上記の実施形態においては、２つの操作部１５ａ，１５ｂと、２つの動作部材１６ａ，１６ｂとを設けた例を示したが、これに限ることなく、１つ以上の操作部材と、対応する１つ以上の動作部材とがあれば、この発明の効果を得ることができる。また、操作部１５ａ，１５ｂは、図２のように１つの操作部材１５に含まれていてもよいし、それぞれ別の場所に配置してもよい。
【００２７】
また、上記の実施形態における連結手段１８は空気通路である例を示したが、これに限ることなく、あらゆる構成を採用することができる。例えば、ワイヤを用いて操作部材１５と動作部材１６とを機械的に連結してもよいし、銅線等を用いて電気的に連結してもよい。さらには、有線に限らず無線電波によって連結してもよい。
【００２８】
同様に、操作部材１５や動作部材１６にも任意の構成を採用することができる。例えば、操作部材１５の他の例として電気信号を発するボタン等であってもよいし、動作部材１６の他の例として光ったり回ったりするようなものであってもよい。
【００２９】
また、上記の実施形態における玩具１７として押すと音を発する玩具の例を示したが、これに限ることなく、押すと光を発するような玩具であってもよいし、鏡等を配置してもよい。
【００３０】
また、上記の実施形態における押棒１４は、一対の縦棒１４ａ，１４ｂの上端を上端連結部１４ｃによって連結した逆Ｕ字形状の例を示したが、これに限ることなく、上端連結部１４ｃを有しない構造の押棒１４であってもよい。
【００３１】
また、上記の実施形態における乳母車１１は、押棒１４が座席１２の後方に位置する背面式の乳母車の例を示したが、これに限ることなく、対面式の乳母車であってもよいし、背面式と対面式とを切り替え可能な乳母車であってもよい。
【００３２】
親と子供が対面した状態で乳母車を使用する場合、親と子供は互いの表情を見ることができる。そこで、親が操作部材１５を操作して動作部材１６を動作させると同時に動作部分に視線を移動させると、子供は親の視線を追って動作部材１６に注目する（共同注視）。このように、動作部材１６が親と子供との間に第３の因子として加わって三項関係を形成することによって、子供のコミュニケーション能力の発達に寄与することができる。
【００３３】
さらに、上記の実施形態において、座席付育児器具は乳母車１１の例を示したが、これに限ることなく、この発明は座席を有するあらゆる育児器具に適用することができる。例えば、チャイルドシートや子供椅子等であってもよい。
【００３４】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【産業上の利用可能性】
【００３５】
この発明は、親と子供がコミュニケーションを図ることのできる座席付育児器具に有利に利用される。
【図面の簡単な説明】
【００３６】
【図１】この発明の一実施形態に係る座席付育児器具を示す図である。
【図２】図１の操作部材の拡大図である。
【図３】図１の動作部材の拡大図であって、操作部材を操作していない状態を示す図である。
【図４】図１の動作部材の拡大図であって、操作部材を操作した状態を示す図である。
【符号の説明】
【００３７】
１１  乳母車、１２  座席、１３  前ガード、１４  押棒、１４ａ，１４ｂ  縦棒、１４ｃ  上端連結部、１５  操作部材、１５ａ，１５ｂ  操作部、１６，１６ａ，１６ｂ  動作部材、１７  玩具、１８，１８ａ，１８ｂ  連結手段、１９ａ，１９ｂ  面ファスナ。
【図１】
2007331709.tif 000003
【図２】
2007331709.tif 000004
【図３】
2007331709.tif 000005
【図４】
2007331709.tif 000006